(57)【要約】【課題】所定の情報の表示が見えづらくなることを防止することができる酸素濃縮器を提供すること。【解決手段】所定の情報を表示する表示手段２と、前記表示手段の周囲の明るさを検知する検知手段３と、前記表示手段２の明るさを切り替える切替手段４とを備えて成り、前記切替手段４は、前記表示手段２の明るさを明るい方から暗い方へ切り替えるための前記検知手段３により検知された前記周囲の明るさに関する第１閾値と、前記表示手段２の明るさを暗い方から明るい方へ切り替えるための前記検知手段３により得られた前記周囲の明るさに関する第２閾値とを備え、第１閾値の値よりも第２閾値の値の方が大きいことを特徴とする酸素濃縮器１である。【選択図】          図１
2005198702.tif 000002
【特許請求の範囲】
【請求項１】
所定の情報を表示する表示手段と、前記表示手段の周囲の明るさを検知する検知手段と、前記表示手段の明るさを切り替える切替手段とを備えて成り、
前記切替手段は、前記表示手段の明るさを明るい方から暗い方へ切り替えるための前記検知手段により検知された前記周囲の明るさに関する第１閾値と、前記表示手段の明るさを暗い方から明るい方へ切り替えるための前記検知手段により得られた前記周囲の明るさに関する第２閾値とを備え、第１閾値の値よりも第２閾値の値の方が大きい
ことを特徴とする酸素濃縮器。
【請求項２】
所定の情報を表示する表示手段と、前記表示手段の周囲の明るさを検知する検知手段と、前記表示手段の明るさを切り替える切替手段とを備えて成り、
前記切替手段は、前記検知手段により検知された前記周囲の明るさが、前記検知手段により検知された前記周囲の明るさに関する所定の閾値を超えてから所定の時間経過後に、前記表示手段の明るさの切替を行う
ことを特徴とする酸素濃縮器。
【請求項３】
所定の情報を表示する表示手段と、前記表示手段の周囲の明るさを検知する検知手段と、前記表示手段の明るさを切り替える切替手段とを備えて成り、
前記切替手段は、前記表示手段の明るさを切り替えるための前記検知手段により検知された前記周囲の明るさに関する閾値が複数存在し、前記周囲の明るさに対応して前記表示手段の明るさを段階的に切り替える
ことを特徴とする酸素濃縮器。
【請求項４】
所定の情報を表示する表示手段と、前記表示手段の周囲の明るさを検知する検知手段と、前記表示手段の明るさを切り替える切替手段とを備えて成り、
前記切替手段は、前記表示手段の明るさを切り替えるための前記検知手段により検知された前記周囲の明るさに関する閾値を有し、
前記閾値の変更をする操作手段を有する
ことを特徴とする酸素濃縮器。
【請求項５】
所定の情報を表示する表示手段と、前記表示手段の周囲の明るさを検知する検知手段と、前記表示手段の明るさを切り替える切替手段とを備えて成り、
前記切替手段は、前記表示手段の明るさを切り替えるための前記検知手段により検知された前記周囲の明るさに関する閾値を有し、
前記検知手段の感度の変更をする操作手段を有する
ことを特徴とする酸素濃縮器。
【発明の詳細な説明】
【技術分野】
【０００１】
本発明は、酸素濃縮器に関する。
【背景技術】
【０００２】
近年、肺気腫症、慢性気管支炎などの呼吸器系疾患に苦しむ患者が増加する傾向があるが、その最も効果的な治療法の一つとして酸素吸入療法があり、空気中から酸素濃縮気体を直接分離する酸素濃縮器が開発され、使用時の利便性、保守管理の容易さから酸素吸入療法用の治療装置として、次第に普及するようになってきている。
【０００３】
かかる酸素濃縮器として、窒素を選択的に吸着し得る吸着剤を1個或いは、複数の吸着床に充填した吸着型酸素濃縮器が知られ、中でも空気供給手段として空気圧縮機を用いた圧力変動吸着型の酸素濃縮器が、在宅酸素吸入療法の装置として用いられている。また、固体電解質膜を利用して、電気化学的に酸素を分離する方式も知られている。
【０００４】
ここで、上記の酸素濃縮器を在宅で使用する場合、夜間の睡眠時に用いられることも多い。このため昼間の視認性を向上させるため酸素濃縮器の所定の情報を表示する表示装置の表示光を明るくすると、夜間には安眠の妨げとなるという問題点がある。逆に、夜間に合わせて表示光を暗くすると昼間における視認性が低下するという問題点がある。
【０００５】
このような問題点を解決するため、「空気中の酸素を分離し酸素濃縮空気を使用者に供給する医療用酸素濃縮装置において、運転に関する情報を発光表示する表示手段を備えると共に、周囲の明るさを検知する検知手段を備え、検知結果により該表示手段の明るさを切り替える切替手段を備えることを特徴とする医療用酸素濃縮装置」が提案されている（特許文献１参照）。
【０００６】
【特許文献１】特開２００３−２２５３１０号公報（請求項１）
【０００７】
ここで、表示の発光明るさを切り替える際、周囲の明るさの閾値としては、１００ルクス以下の閾値が適度と思われるが、夜間でも照明や屋外からの光等によって、この閾値に近い明るさになることがある。また、昼間でも薄暗い部屋であれば上記の閾値に近い明るさになることもある。
【０００８】
このような状態では、夜間の場合、窓からの光、例えば、屋外照明、自動車のライト、月明かり等によって実際の室内の照度は、かなり不安定となり、光センサによって検知する明るさは閾値の前後を変動する場合がある。
【０００９】
また、昼間の薄暗い部屋の場合にも、人の移動や蛍光灯のちらつき、窓からの光の差込具合などによって明るさは、上記の閾値の前後を変動する場合がある。上記特許文献１記載の発明においては、これら閾値の前後で明るさが変動する場合に表示の明るさが頻繁に切り替わり、発光表示のちらつきが生じ、所定の情報の表示が見えづらくなるという問題点がある。
【発明の開示】
【発明が解決しようとする課題】
【００１０】
本発明は、このような従来の問題点を解消し、所定の情報の表示が見えづらくなることを防止することができる酸素濃縮器を提供することをその課題とする。
【課題を解決するための手段】
【００１１】
前記課題を解決するための手段は、所定の情報を表示する表示手段と、前記表示手段の周囲の明るさを検知する検知手段と、前記表示手段の明るさを切り替える切替手段とを備えて成り、前記切替手段は、前記表示手段の明るさを明るい方から暗い方へ切り替えるための前記検知手段により検知された前記周囲の明るさに関する第１閾値と、前記表示手段の明るさを暗い方から明るい方へ切り替えるための前記検知手段により得られた前記周囲の明るさに関する第２閾値とを備え、第１閾値の値よりも第２閾値の値の方が大きいことを特徴とする酸素濃縮器である。
【００１２】
前記課題を解決するための別の手段は、所定の情報を表示する表示手段と、前記表示手段の周囲の明るさを検知する検知手段と、前記表示手段の明るさを切り替える切替手段とを備えて成り、前記切替手段は、前記検知手段により検知された前記周囲の明るさが、前記検知手段により検知された前記周囲の明るさに関する所定の閾値を超えてから所定の時間経過後に、前記表示手段の明るさの切替を行うことを特徴とする酸素濃縮器である。
【００１３】
前記課題を解決するための別の手段は、所定の情報を表示する表示手段と、前記表示手段の周囲の明るさを検知する検知手段と、前記表示手段の明るさを切り替える切替手段とを備えて成り、前記切替手段は、前記表示手段の明るさを切り替えるための前記検知手段により検知された前記周囲の明るさに関する閾値が複数存在し、前記周囲の明るさに対応して前記表示手段の明るさを段階的に切り替えることを特徴とする酸素濃縮器である。
【００１４】
前記課題を解決するための別の手段は、所定の情報を表示する表示手段と、前記表示手段の周囲の明るさを検知する検知手段と、前記表示手段の明るさを切り替える切替手段とを備えて成り、前記切替手段は、前記表示手段の明るさを切り替えるための前記検知手段により検知された前記周囲の明るさに関する閾値を有し、前記閾値の変更をする操作手段を有することを特徴とする酸素濃縮器である。
【００１５】
前記課題を解決するための別の手段は、所定の情報を表示する表示手段と、前記表示手段の周囲の明るさを検知する検知手段と、前記表示手段の明るさを切り替える切替手段とを備えて成り、前記切替手段は、前記表示手段の明るさを切り替えるための前記検知手段により検知された前記周囲の明るさに関する閾値を有し、前記検知手段の感度の変更をする操作手段を有することを特徴とする酸素濃縮器である。
【発明の効果】
【００１６】
本発明によれば、前記表示手段の明るさを明るい方から暗い方へ切り替える際の第１閾値と、前記表示手段の明るさを暗い方から明るい方へ切り替える際の第２閾値とを備えて成ることにより、周囲の明るさが第１閾値の前後を変動しても、表示手段の明るさを明るい方から暗い方へ切り替えるための閾値は第２閾値であるので、表示手段の明るさのちらつきが少なくなる。また、周囲の明るさが第２閾値の前後を変動しても、表示手段の明るさを暗い方から明るい方へ切り替えるための閾値は第１閾値に変更されるので、表示手段の明るさのちらつきが少なくなる。したがって、所定の情報の表示が見えづらくなることを防止することができる。
【００１７】
また、本発明によれば、前記検知手段により検知された周囲の明るさが、所定の閾値を超えてから所定の時間経過後に、前記切替手段は、前記表示手段の明るさの切替を行うことにより、頻繁に表示手段の明るさの切替が行われないため、表示手段の明るさのちらつきが少なくなる。したがって、所定の情報の表示が見えづらくなることを防止することができる。所定時間は、例えば、０．５〜１０秒であることが好ましい。この範囲内であれば、表示手段の明るさのちらつきを抑えつつ、表示手段の明るさを切り替えることができる。
【００１８】
さらに、本発明によれば、前記表示手段の明るさを切り替える際の閾値が複数存在し、前記複数の閾値の各々に対応して前記表示手段の明るさを段階的に切り替えることにより、明るさの変化が緩やかになり、表示手段の明るさのちらつきが少なくなる。したがって、所定の情報の表示が見えづらくなることを防止することができる。さらに、明るさを切り替える際の閾値が高いものを越えた時ほど、表示手段の明るさを明るくなるようにすると好ましい。
【００１９】
そして、本発明によれば、前記切替手段は、前記表示手段の明るさを切り替えるための前記検知手段により検知された前記周囲の明るさに関する閾値を有し、前記閾値の変更をする操作手段を有することにより、明るさの切替が頻発することが少なくなり、表示手段の明るさのちらつきが少なくなる。したがって、所定の情報の表示が見えづらくなることを防止することができる。
【００２０】
また、本発明によれば、前記切替手段は、前記表示手段の明るさを切り替えるための前記検知手段により検知された前記周囲の明るさに関する閾値を有し、前記検知手段の感度の変更をする操作手段を有することにより、明るさの切替が頻発することが少なくなり、表示手段の明るさのちらつきが少なくなる。したがって、所定の情報の表示が見えづらくなることを防止することができる。
【発明を実施するための最良の形態】
【００２１】
以下、本発明の実施の形態を図面に基づいて説明する。
［第１実施形態］
図１には、本発明の第１実施形態に係る酸素濃縮器が示されている。本発明の第１実施形態に係る酸素濃縮器１は、所定の情報を表示する表示手段２と、前記表示手段２の周囲の明るさを検知する検知手段３と、前記表示手段２の明るさを切り替える切替手段４と、検知手段３および切替手段４の動作を制御する制御手段５とを備えて成る。
【００２２】
表示手段２としては、バックライト付液晶ディスプレイ、発光ダイオード、蛍光管表示装置等が挙げられる。なお、表示する所定の情報としては、酸素濃度、濃縮酸素の流量、酸素の発生量、電圧、動作時間、故障情報等が挙げられる。
【００２３】
検知手段３としては、フォトダイオード、フォトトランジスタ、光導電素子、太陽電池等が挙げられる。
【００２４】
切替手段４としては、切替用の電気回路等が挙げられる。
【００２５】
制御手段５としては、マイクロコンピュータ等が挙げられる。
【００２６】
なお、酸素濃縮器１における空気から酸素を分離する手段としては、特に制限はなく、例えば、窒素を吸着する吸着剤を用いて空気から酸素を分離する手段や、固体電解質膜を利用して、電気化学的に空気から酸素を分離する手段等を採用することができる。
【００２７】
[酸素濃縮器の動作]
図２は、検知手段により検出された検知手段検出値と閾値との関係、および、表示手段の明るさをそれぞれ経時的に示した図である。図１および図２を参照して、酸素濃縮器の動作を以下に説明する。
【００２８】
まず、検知手段３が、前記表示手段２の周囲の明るさを検知する。検出された値は、検知手段検出値として、制御手段５に送られる。この検知手段検出値は、制御手段５に予め設定された閾値と比較される。この検知手段検出値が、制御手段５に予め設定された第１閾値に達すると、制御手段５は、切替手段４に、表示手段２の明るさを明るい方から暗い方へ切り替える指令を出す。この切替と同時に、制御手段５に予め設定された閾値は、第１閾値から第１閾値よりも高い第２閾値へと変更される。
【００２９】
その後、検知手段検出値が制御手段５で経時的に比較される。この検知手段検出値が、制御手段５に設定された第２閾値に達すると、制御手段５は、切替手段４に、表示手段２の明るさを暗い方から明るい方へ切り替える指令を出す。この切替と同時に、制御手段５に設定された閾値は、第２閾値から第１閾値へと再度変更される。
【００３０】
なお、上記第１閾値と第２閾値との差は、検知手段３の感度等により決定されるが、照度にして、例えば、５〜５０ルクスであることが好ましい。この範囲内であれば、表示手段２の明るさのちらつきを抑えつつ、表示手段２の明るさを切り替えることができる。
【００３１】
上述のような本実施形態によれば、次のような効果がある。
（１）第１閾値と、第２閾値とを備えて成ることにより、周囲の明るさが第１閾値の前後を変動しても、閾値は既に第２閾値に変更されるので、表示手段２の明るさのちらつきが少なくなる。また、周囲の明るさが第２閾値の前後を変動しても、閾値は既に第１閾値に変更されるので、表示手段２の明るさのちらつきが少なくなる。したがって、所定の情報の表示が見えづらくなることを防止することができる。
【００３２】
［第２実施形態］
次に本発明の第２実施形態を説明する。なお、以下の説明では既に説明した部分、部材と同一のものは同一符号を付してその説明を簡略する。
【００３３】
第１実施形態に係る酸素濃縮器と、第２実施形態に係る酸素濃縮器とは、第２実施形態に係る酸素濃縮器が、以下に示すような動作を行う点が異なる。
【００３４】
[酸素濃縮器の動作]
図３は、検知手段により検出された検知手段検出値と閾値との関係、および、表示手段の明るさをそれぞれ経時的に示した図である。図１および図３を参照して、酸素濃縮器の動作を以下に説明する。
【００３５】
まず、検知手段３が、前記表示手段２の周囲の明るさを検知する。検出された値は、検知手段検出値として、制御手段５に送られる。この検知手段検出値は、制御手段５に予め設定された閾値と比較される。この検知手段検出値が、制御手段５に予め設定された閾値に達すると、閾値を超えてから所定の時間Ｔ１経過後、制御手段５は、切替手段４に、表示手段２の明るさを明るい方から暗い方へ切り替える指令を出す。
【００３６】
その後、検知手段検出値が制御手段５で経時的に比較される。この検知手段検出値が、制御手段５に設定された閾値に達すると、閾値を超えてから所定の時間Ｔ２経過後、制御手段５は、切替手段４に、表示手段２の明るさを暗い方から明るい方へ切り替える指令を出す。
【００３７】
なお、上記時間Ｔ１および時間Ｔ２は、同じでもよく、異なっていてもよい。時間Ｔ１および時間Ｔ２としては、例えば、０．５〜１０秒であることが好ましい。この範囲内であれば、表示手段２の明るさのちらつきを抑えつつ、表示手段２の明るさを切り替えることができる。
【００３８】
上述のような本実施形態によれば、次のような効果がある。
（２）検知手段３により検知された周囲の明るさが、閾値を超えてから時間Ｔ１（またはＴ２）経過後に、切替手段４は、表示手段２の明るさの切替を行うことにより、頻繁に表示手段２の明るさの切替が行われないため、表示手段２の明るさのちらつきが少なくなる。したがって、所定の情報の表示が見えづらくなることを防止することができる。
【００３９】
［第３実施形態］
次に本発明の第３実施形態を説明する。
【００４０】
第１実施形態に係る酸素濃縮器と、第３実施形態に係る酸素濃縮器とは、第３実施形態に係る酸素濃縮器が、以下に示すような動作を行う点が異なる。
【００４１】
[酸素濃縮器の動作]
図４は、検知手段により検出された検知手段検出値と閾値との関係、および、表示手段の明るさをそれぞれ経時的に示した図である。図１および図４を参照して、酸素濃縮器の動作を以下に説明する。
【００４２】
まず、検知手段３が、前記表示手段２の周囲の明るさを検知する。検出された値は、検知手段検出値として、制御手段５に送られる。この検知手段検出値は、制御手段５に予め設定された複数の閾値と比較される。この検知手段検出値が、制御手段５に予め設定された複数の閾値に達すると、前記複数の閾値の各々に対応して前記表示手段２の明るさを段階的に切り替える指令を出す。
【００４３】
なお、表示手段２の明るさを段階的に切り替える方法としては、例えば、表示手段２に供給する電圧または電流を変化させる制御を行う方法や、表示手段２に供給する電圧または電流をパルス化し、このパルス幅を制御する方法等が挙げられる。さらに、明るさを切り替える際の閾値が高いものを越えた時ほど、表示手段２の明るさを明るくなるようにすると好ましい。
【００４４】
上述のような本実施形態によれば、次のような効果がある。
（３）明るさの変化が緩やかになり、表示手段２の明るさのちらつきが少なくなる。したがって、所定の情報の表示が見えづらくなることを防止することができる。
【００４５】
［第４実施形態］
次に本発明の第４実施形態を説明する。図５には、本発明の第４実施形態に係る酸素濃縮器が示されている。
【００４６】
第１実施形態に係る酸素濃縮器１と、第４実施形態に係る酸素濃縮器６とは、第４実施形態に係る酸素濃縮器６が、表示手段２の明るさを切り替えるための検知手段３により検知された前記周囲の明るさに関する閾値を有し、前記閾値の変更をする操作手段７を有する点が異なる。ここで、操作手段７は、制御手段５に閾値の変更の指令を与える。
【００４７】
[酸素濃縮器の動作]
図５を参照して、酸素濃縮器の動作を以下に説明する。
【００４８】
まず、検知手段３が、前記表示手段２の周囲の明るさを検知する。検出された値は、検知手段検出値として、制御手段５に送られる。この検知手段検出値は、制御手段５に予め設定された閾値と比較される。
【００４９】
ここで、表示手段２の明るさの切替が頻繁に起こる際には、前記検知手段３により検知された周囲の明るさに対応して、操作手段７により前記切替手段４を切り替える際の閾値の変更をする。操作手段７はスイッチ等を用い使用者が直接操作を行っても良いし、あるいは制御手段５のマイクロコンピュータを用い、プログラムによって自動的に操作手段７の操作を行っても良い。また、切替手段４を切り替える際の閾値は所定時間経過後に元に戻してもよい。所定時間は、例えば、０．５〜１０秒であることが好ましい。この範囲内であれば、表示手段２の明るさのちらつきを抑えつつ、表示手段２の明るさを切り替えることができる。
【００５０】
上述のような本実施形態によれば、次のような効果がある。
（４）表示手段２の明るさの切替が頻発することが少なくなり、表示手段２の明るさのちらつきが少なくなる。したがって、所定の情報の表示が見えづらくなることを防止することができる。
【００５１】
［第５実施形態］
次に本発明の第５実施形態を説明する。図６には、本発明の第５実施形態に係る酸素濃縮器が示されている。
【００５２】
第１実施形態に係る酸素濃縮器１と、第５実施形態に係る酸素濃縮器８とは、第５実施形態に係る酸素濃縮器８が、前記表示手段２の明るさを切り替えるための前記検知手段３により検知された前記周囲の明るさに関する閾値を有し、前記検知手段３の感度の変更をする操作手段９を有する点が異なる。ここで、操作手段９は、制御手段５に検知手段３の感度の変更の指令を与える。
【００５３】
[酸素濃縮器の動作]
図６を参照して、酸素濃縮器の動作を以下に説明する。
【００５４】
まず、検知手段３が、前記表示手段２の周囲の明るさを検知する。検出された値は、検知手段検出値として、制御手段５に送られる。この検知手段検出値は、制御手段５に予め設定された閾値と比較される。
【００５５】
ここで、表示手段２の明るさの切替が頻繁に起こる際には、検知手段３により検知された周囲の明るさに対応して、操作手段９により前記検知手段３の感度の変更をする。操作手段９はスイッチ等を用い使用者が直接操作を行っても良いし、あるいは制御手段５のマイクロコンピュータを用い、プログラムによって自動的に操作手段９の操作を行っても良い。また、検知手段３の感度は、所定時間経過後に元に戻してもよい。所定時間は、例えば、０．５〜１０秒であることが好ましい。この範囲内であれば、表示手段２の明るさのちらつきを抑えつつ、表示手段２の明るさを切り替えることができる。
【００５６】
上述のような本実施形態によれば、次のような効果がある。
（５）表示手段２の明るさの切替が頻発することが少なくなり、表示手段２の明るさのちらつきが少なくなる。したがって、所定の情報の表示が見えづらくなることを防止することができる。
【００５７】
なお、本発明は前記各実施形態に限定されるものではなく、本発明の目的を達成できる範囲での変形、改良は、本発明に含まれるものである。その他、本発明を実施する際の具体的な構造および形状等は、本発明の目的を達成できる範囲内で他の構造等としてもよい。また、各発明の実施形態を組み合わせても良い。
【図面の簡単な説明】
【００５８】
【図１】図１は、本発明の第１実施形態に係る酸素濃縮器のブロック図である。
【図２】図２は、第１実施形態に係る検知手段により検出された検知手段検出値と閾値との関係、および、表示手段の明るさをそれぞれ経時的に示した図である。
【図３】図３は、第２実施形態に係る検知手段により検出された検知手段検出値と閾値との関係、および、表示手段の明るさをそれぞれ経時的に示した図である。
【図４】図４は、第３実施形態に係る検知手段により検出された検知手段検出値と閾値との関係、および、表示手段の明るさをそれぞれ経時的に示した図である。
【図５】図５は、本発明の第４実施形態に係る酸素濃縮器のブロック図である。
【図６】図６は、本発明の第５実施形態に係る酸素濃縮器のブロック図である。
【符号の説明】
【００５９】
１    酸素濃縮器
２    表示手段
３    検知手段
４    切替手段
５    制御手段
６    酸素濃縮器
７    操作手段
８    酸素濃縮器
９    操作手段
【図１】
2005198702.tif 000003
【図２】
2005198702.tif 000004
【図３】
2005198702.tif 000005
【図４】
2005198702.tif 000006
【図５】
2005198702.tif 000007
【図６】
2005198702.tif 000008